(57)【要約】【課題】スキャン装置の光学読込ヘッドを提供する【解決手段】  本発明のスキャン装置の光学読込ヘッドは、ハウジング、二つの可動なミラー締め部及び二つのサポート板を有する。前記ハウジングは、光源、ミラーセット、レンズ及び画像センサーを含む。前記二つの可動なミラー締め部は、前記ミラーセットの所定の反射ミラーの両エッジを固定することにより、当該所定の反射ミラーの位置は、調整されることができる。前記二つのサポート板は、前記ハウジングの反対する両側から突き出し、前記二つの可動なミラー締め部をサポートする。【選択図】  図２
2007037075.tif 000002
【特許請求の範囲】
【請求項１】
スキャン装置の光学読込ヘッドであって、
光源と、ミラーセットと、レンズと、画像センサーとを含むハウジングと、
前記ミラーセットの所定の反射ミラーの位置が可能となるように当該反射ミラーの両エッジを固定する二つの可動なミラー締め部と、
前記ハウジングの反対する両側から突き出し、前記可動なミラー締め部をサポートする二つのサポート板と、
を有する、
光学読込ヘッド。
【請求項２】
前記二つの可動なミラー締め部の各々は、前記所定の反射ミラーの一つのエッジを収容するギャップとほぞを含む、
請求項１に記載の光学読込ヘッド。
【請求項３】
前記二つのサポート板の各々は溝を有し、前記二つの可動なミラー締め部の各々は当該溝に対応する線形ブロックを有する、
請求項１に記載の光学読込ヘッド。
【請求項４】
前記二つのサポート板の各々は導向スロットを有し、前記二つの可動なミラー締め部の各々は当該導向スロットに対応するボルト穴台座を有する、
請求項１に記載の光学読込ヘッド。
【請求項５】
ねじが前記導向スロットに差し込まれ、前記ボルト穴台座にスクルーされる際に、前記二つの可動なミラー締め部の各々は、対応する前記二つのサポート板の各々と接続される、
請求項４に記載の光学読込ヘッド。
【請求項６】
前記二つのサポート板の各々の底部には穴が含まれ、前記二つの可動なミラー締め部の各々の底部には当該穴に対応する通路が含まれる、
請求項１に記載の光学読込ヘッド。
【発明の詳細な説明】
【技術分野】
【０００１】
本発明は、スキャン装置の光学読込ヘッドに関し、具体的に、光路を調整するための可動なミラー締め部を有する光学読込ヘッドに関する。
【背景技術】
【０００２】
図１は、従来のスキャン装置１の断面図である。図１に示すように、スキャン装置１は、光学読込ヘッド１０を含む。光学読込ヘッド１０のハウジング１００には、光源１０１、複数の反射ミラー１０２A〜１０２Eを有するミラーセット、レンズ１０３及び画像センサー１０４が含まれる。続いて、スキャンするときに、光源１０からの光束がスキャン対象１１に投射される。スキャン対象１１から反射された光束が、複数の反射ミラー１０２A、１０２B、１０２C、１０２D及び１０２Eにより反射され、レンズ１０３より集束される。集束された光束は、画像センサー１０４に入射し、アナログ信号に変換される。また、スキャン装置１の光学読込ヘッド１０が駆動デバイス（図示せず）により駆動され、スキャン対象１１の全体をスキャンする。
【０００３】
図１に示すように、光源１０１、ミラーセット、レンズ１０３及び画像センサー１０４が光学読込ヘッド１０に取り付けられた後に、倍率補正を行う必要がある。スキャン対象１１からレンズ１０３までの距離（物体距離と言う）、或いは、レンズ１０３と画像センサー１０４との間の距離（画像距離と言う）を正確に調整することにより、光学読込ヘッド１０の倍率の誤差が所定値以下となる。この所定値の値は、一般的に０．５より小さい。また、図１に示すように、ミラーセットの反射ミラー１０２A〜１０２Eが、光学読込ヘッド１０の中に固定され、且つ、スキャン対象１１とレンズ１０３との間の光路に配置される。この場合、組み立ての際に、光路に位置する画像センサー１０４に対するレンズ１０３の位置のみを補正すれば、光学読込ヘッド１０の倍率を補正できる。しかし、レンズ１０３と画像センサー１０４との間の距離が、スキャン対象１１とレンズ１０３との間の距離よりかなり小さいので、光学読込ヘッド１０を組み立てる際に、前述のように倍率の誤差を小さくし、且つスキャン対象を画像センサー１０４に正確に結像することが難しい。そのため、光学読込ヘッド１０にミラー調整機構を設け、簡単且つ正確な方式で光学読込ヘッド１０の倍率を容易に補正できることが望ましい。
【０００４】
一方、正確な位置に置くべきミラーセットまたは画像センサー１０４は、組み立てプロセスに傾きやすい。また、レンズ１０３の固有の結像誤差も光学読込ヘッド１０の光路の傾きの一因である。レンズ１０３或いは画像センサー１０４の位置を調整することでは、前述の問題を克服することができない。
【０００５】
ゆえに、本発明は、スキャン装置の光学読込ヘッドを提供し、前述の技術問題を解決する。
【発明の開示】
【発明が解決しようとする課題】
【０００６】
前述したように、従来の光学読込ヘッドにおいて、倍率の誤差を最小限にし、光路傾斜を補正することは難しい。
【０００７】
本発明の目的は、ミラー調整機構を含む光学読込ヘッドであって、スキャン対象とレンズとの間の距離を適切に調整し、光学読込ヘッドの光路傾斜を最小限にすることができるスキャン装置の光学読込ヘッドを提供することにある。
【課題を解決するための手段】
【０００８】
上記目的を達成するために、本発明のスキャン装置の光学読込ヘッドは、ハウジングと、二つの可動なミラー締め部と、二つのサポート板とを含む。当該ハウジングは、光源と、ミラーセットと、レンズと、画像センサーとを含む。当該二つの可動なミラー締め部は当該ミラーセットの所定の反射ミラーの両エッジを固定し、当該所定の反射ミラーの位置は調整されることができる。当該二つのサポート板は、当該ハウジングの反対する両側から突き出し、当該可動なミラー締め部をサポートする。
【０００９】
好適な実施例において、前記二つの可動な締め部の各々は、前記所定の反射ミラーのエッジに対応するギャップとほぞを有する。
【００１０】
他の好適な実施例において、前記二つのサポート板の各々は溝を有し、前記二つの可動な締め部の各々は当該溝に対応する線形ブロックを有する。
【００１１】
他の好適な実施例において、前記二つのサポート板の各々は導向スロットを有し、前記二つの可動な締め部の各々は、当該導向スロットに対応するボルト穴台座を有する。
【００１２】
他の好適な実施例において、前記二つの可動なミラー締め部は、ねじを前記導向スロットに差し込み、前記ボルト穴台座にスクルーすることにより、前記二つのサポート板のそれぞれと接続される。
【００１３】
他の好適な実施例において、前記二つのサポート板の各々の底部は穴を有し、前記二つの可動な締め部の各々の底部は当該穴に対応する通路を有する。
【発明の効果】
【００１４】
本発明は、光学読込ヘッドにミラー調整機構を設けることにより、スキャン対象とレンズとの間の距離を適切に調整し、光学読込ヘッドの光路傾斜を最小限にすることができる。
【発明を実施するための最良の形態】
【００１５】
次に、添付した図面を参照しながら、本発明の好適な実施形態を詳細に説明する。
【００１６】
図２は、本発明の第一の実施例におけるスキャン装置の光学読込ヘッドの断面図である。図２に示すように、スキャン装置２の光学読込ヘッド２０のハウジング２００には、光源２０１、複数の反射ミラー２０２A〜２０２Eを有するミラーセット、レンズ２０３及び画像センサー２０４が含まれる。スキャンするときに、光源２０１からの光束がスキャン対象２１に投射される。スキャン対象２１から反射された光束が、複数の反射ミラー２０２A、２０２B、２０２C、２０２D及び２０２Eにより反射され、レンズ２０３より集束される。それから、集束された光束は、画像センサー１０４に入射し、アナログ信号に変換される。また、スキャン装置２の光学読込ヘッド２０が駆動デバイス（図示せず）により駆動され、スキャン対象２１の全体をスキャンする。
【００１７】
図２に示すように、光学読込ヘッド２０は、二つの可動なミラー締め部２０５と２０６（図３に示される）を含み、反射ミラー２０２A〜２０２Eのうちの一つの反射ミラーの両エッジを固定する。この実施例において、可動なミラー締め部２０５と２０６は、反射ミラー２０２Cの両エッジをそれぞれ固定する。可動なミラー締め部２０５と２０６により、反射ミラー２０２Cの位置を調整でき、光学読込ヘッド２０の倍率の誤差を所定の値により小さく補正することができる。また、組み立てプロセスに、他の光学要素は傾いた場合、可動なミラー締め部２０５と２０６を調整することにより、その傾斜を修正することが可能である。
【００１８】
可動なミラー締め部２０５と２０６を用いて一つの反射ミラーのみを調整することで、倍率補正を可能にするために、可動なミラー締め部２０５と２０６により固定される反射ミラーは、予備実験により適切に選ばれる必要がある。図２に示される実施例において、反射ミラー２０２Cはハウジング２００の側壁の近傍に配置される。反射ミラー２０２Cは水平に移動されると、隣接する反射ミラー、例えば反射ミラー２０２Bと２０２Dの角度と位置は変える必要がない。この場合、反射ミラー２０２Cは、可動なミラー締め部２０５に従わせる。また、反射ミラー２０２Cはハウジング２００の側壁の近傍に配置されるので、反射ミラー２０２Cと可動な締め部２０５を容易に調整し、倍率の補正を行える。
【００１９】
図３Aから図３Cは、それぞれ本発明の好適な実施例における光学読込ヘッドの分解図と組み立て図である。
【００２０】
図３Aに示すように、光学読込ヘッド２０はハウジング２００、二つの可動なミラー締め部２０５と２０６及び二つのサポート板２０７と２０８を含む。光学読込ヘッド２０のハウジング２００には、光源２０１、ミラーセット（図示せず）、レンズ２０３及び画像センサー（図示せず）が含まれる。サポート板２０７と２０８は、それぞれ可動なミラー締め部２０５と２０６をサポートするために、ハウジング２００の反対する両側から突き出す。可動なミラー締め部２０５は、片側にV型或いはU型のギャップ２０５Aとほぞ２０５Bを有し、同様に、可動なミラー締め部２０６は、片側に全く同じのギャップ２０６Aとほぞ２０６Bを有する。ギャップ２０６Aとほぞ２０６Bは、それぞれギャップ２０５Aとほぞ２０５Bと対向する。
【００２１】
また、図３Aに示すように、可動なミラー締め部２０５は、表面にボルト穴台座２０５Cを有し、サポート板２０７は、ボルト穴台座２０５Cに対応する導向スロット２０７Aを有する。ねじ２０９が導向スロット２０７Aに差し込まれ、ボルト穴台座２０５Cにスクルーされる際に、可動なミラー締め部２０５はサポート板２０７と結合される。同様に、可動なミラー締め部２０６は、表面にボルト穴台座２０６Cを有し、サポート板２０８は、ボルト穴台座２０６Cに対応する導向スロット２０８Aを有する。もう一つのねじ２１０がボルト穴台座２０６Cにスクルーされる際に、可動なミラー締め部２０６はサポート板２０８と結合される。組み立て後の構造が図３Bに示される。
【００２２】
図３Aと図３Bに示すように、可動なミラー締め部２０５と２０６は、それぞれサポート板２０７と２０８の溝２０７Cと２０８Cに対応する線形ブロック２０５Dと２０６Dをさらに有する。線形ブロック２０５Dと２０６Dが溝２０７Cと２０８Cに沿って移動される際に、可動なミラー締め部２０５と２０６は、それぞれサポート板２０７と２０８に対して前後に移動される。
【００２３】
可動なミラー締め部２０５と２０６がサポート板２０７と２０８に接続された後に、反射ミラー２０２Cの両エッジは、それぞれギャップ２０５Aと２０６Aに収容され、ほぞ２０５Bと２０６Bに固定される。光学読込ヘッド２０の組み立てられた構造が図３Cに示される。また、倍率補正を行う方式は以下のように詳細的に説明する。
【００２４】
まず、ねじ２０９と２１０は少し緩めであるので、可動なミラー締め部２０５と２０６はそれぞれサポート板２０７と２０８に対して移動可能である。また、ねじ２０９と２１０は導向スロット２０７Aと２０８Aに差し込まれ、ボルト穴台座２０５Cと２０６Cにスクルーされるので、サポート板２０７（或いは２０８）に対する可動なミラー締め部２０５（或いは２０６）の移動範囲は、導向スロット２０７A（或いは２０８A）の長さに依存する。次に、可動なミラー締め部２０５と２０６は、サポート板２０７と２０８に対して前後に移動されることにより、スキャン対象とレンズ２０３との距離（即ち、対象距離）を減少または増加することができる。光学読込ヘッド２０の倍率の誤差が所定の値（例えば、０．５）以下になった際に、ねじ２０９と２１０がボルト穴台座２０５Cと２０６Cにしっかりスクルーされることにより、可動なミラー締め部２０５と２０６がそれぞれサポート板２０７と２０８に固定される。
【００２５】
図３Dは、反射ミラー２０２C、可動なミラー締め部２０５と２０６及びサポート板２０７と２０８を示す上面図である。図３Eは、図３Dの直線３E−３E′に沿う光学読込ヘッド２０の断面を示す断面図である。ねじ２０９と２１０が導向スロット２０７Aと２０８Aに差し込まれ、ボルト穴台座２０５Cと２０６Cに緩くスクルーされた後に、可動なミラー締め部２０５と２０６は、それぞれ導向スロット２０７Aと２０８Aの長さに従ってサポート板２０７と２０８に対して移動可能である。光学読込ヘッド２０の倍率の誤差が所定の値以下になった際に、ねじ２０９と２１０がボルト穴台座２０５Cと２０６Cにしっかりスクルーされることにより、移動式締め部２０５と２０６がそれぞれサポート板２０７と２０８に固定される。一方、光学読込ヘッド２０の他の要素、例えば反射ミラー２０２A、２０２B、２０２Dまたは２０３E、或いは画像センサー２０４は、組み立てプロセスに傾斜が生じた場合、或いは、レンズ２０３の固有の画像誤差により光学読込ヘッド２０の光路に傾斜が生じた場合は、可動なミラー締め部２０５と２０６のいずれかを移動し、或いは、可動なミラー締め部２０５と２０６の両方を別々に移動する。この際、反射ミラー２０２Cを少し回転し、光路を正確に補正することができる。また、可動なミラー締め部２０５と２０６に含まれるほぞ２０５Bと２０６Bは弾力的であるので、可動なミラー締め部２０５と２０６が別々に移動されても、反射ミラー２０２Cは可動なミラー２０５と２０６にしっかり固定されることができる。
【００２６】
図３A、図３D及び図３Eに示すように、可動なミラー締め部２０５の底部には、サポート板２０７の円状穴２０７Bに対応する線状通路或いは開口２０５Eが含まれる。同様に、可動なミラー締め部２０６の底部には、サポート板２０８の円状穴２０８Bに対応する線状通路或いは開口２０６Eが含まれる。ねじ２０９と２１０がそれぞれボルト穴台座２０５Cと２０６Cにスクルーされ、且つ、可動なミラー締め部２０５と２０６がそれぞれサポート板２０７と２０８に固定された後に、調整棒２２が円状穴２０７B（或いは２０８B）から線形通路２０５E（或いは２０６E）に挿入されても良い。調整棒２２を時計回り方向または逆時計回り方向に回転することにより、可動なミラー締め部２０５と２０６の前後へのわずかな移動を実現できる。この場合、サポート板２０７と２０８に対する可動なミラー締め部２０５と２０６の位置は、正確に制御されることができる。
【００２７】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２８】
【図１】従来のスキャン装置の光学読込ヘッドの断面図である。
【図２】本発明の好適な実施例におけるスキャン装置の光学読込ヘッドの断面図である
【図３Ａ】本発明の好適な実施例における光学読込ヘッドの分解図である。
【図３Ｂ】本発明の好適な実施例における光学読込ヘッドの分解図である。
【図３Ｃ】図３Aの光学読込ヘッドの組み立て図である。
【図３Ｄ】反射ミラー、可動なミラー締め部及びサポート板を示す上面図である。
【図３Ｅ】図３Dの直線３E−３E′に沿う光学読込ヘッドの断面を示す断面図である。
【符号の説明】
【００２９】
１      従来のスキャン装置
１０    光学読込ヘッド
１１    スキャン対象
１００  光学読込ヘッドのハウジング
１０１  光源
１０２A、１０２A、１０２C、１０２D、１０２E  反射ミラー
１０３  レンズ
１０４  画像センサー
２      本発明のスキャン装置
２０    光学読込ヘッド
２００  光学読込ヘッドのハウジング
２１    スキャン対象
２０１  光源
２０２A、２０２B、２０２C、２０２D、２０２E  反射ミラー
２０３  レンズ
２０４  画像センサー
２０５、２０６    可動なミラー締め部
２０５A、２０６A  ギャップ
２０５B、２０６B  ほぞ
２０５C、２０６C  ボルト穴台座
２０５D、２０６D  線形ブロック
２０５E、２０６E  通路（開口）
２０７、２０８    サポート板
２０７A、２０８A  導向スロット
２０７B、２０８B  穴
２０７C、２０８C  溝
２０９、２１０    ねじ
２２    調整棒
【図１】
2007037075.tif 000003
【図２】
2007037075.tif 000004
【図３Ａ】
2007037075.tif 000005
【図３Ｂ】
2007037075.tif 000006
【図３Ｃ】
2007037075.tif 000007
【図３Ｄ】
2007037075.tif 000008
【図３Ｅ】
2007037075.tif 000009